(57)【要約】【課題】顧客が多くの商品の中から最適の商品を容易に選択すること、セールス担当者が説明した商品提案や料金案内を全て覚えられること及び顧客とセールス担当者との間にクレームを生じさせない台紙付き折畳み提案書を提供する。【解決手段】本発明による台紙付き折畳み提案書１は、表裏面として折曲げたり、分離させた台紙２と台紙２の裏面４に添付させる提案書６から成り、提案書６には広報部１６、１７と記入部１８とを配置していて、折り重ねた台紙２の間に折畳みながら収納されている。【選択図】　図５
2004058474.tif 000002
【特許請求の範囲】
【請求項１】
表裏面として折曲げた台紙と該台紙の表裏面いずれかに添付させる広報部と記入部とを配置する提案書から成り、折り重ねた台紙間に該提案書を折畳みながら収納する台紙付き折畳み提案書。
【請求項２】
提案書が、台紙の一辺の寸法以下である寸法の奇数倍と台紙の相対する他辺の寸法以下である寸法の奇数倍で折畳まれることを特徴とする請求項１に記載の台紙付き折畳み提案書。
【請求項３】
表裏面から成る台紙が、内表面に記録手段を記載されることを特徴とする請求項１又は２に記載の台紙付き折畳み提案書。
【請求項４】
表裏面として分離した台紙と該台紙の表裏面に対角する角部を添付して広報部と記入部とを配置する提案書から成り、重合わせた台紙間に該提案書を折畳みながら収納する台紙付き折畳み提案書。
【請求項５】
提案書が、台紙の一辺の寸法以下である寸法の奇数倍と台紙の相対する他辺の寸法以下である寸法の偶数倍で折畳まれることを特徴とする請求項４に記載の台紙付き折畳み提案書。
【請求項６】
表裏面から成る台紙が、外表面に少なくとも報告者名と連絡手段とを記載されることを特徴とする請求項１乃至５のいずれかに記載の台紙付き折畳み提案書。
【発明の詳細な説明】
【０００１】
【発明の属する技術分野】
本発明は、台紙付き折畳み提案書に関し、特にカタログ、コンサルティングシート及び記録手段等による営業をより効率的にする台紙付き折畳み提案書に関する。
【０００２】
【従来の技術】
顧客に対する商品等の販売を目的にして活発なセールス活動が行われており、その主要な手段としては、一般に商品等を印刷したカタログ等が使用されている。この他にも、コンサルティング型営業におけるコンサルティングシートや反復利用を期待している会員権、登録券等が、当然の如くに利用されながら巷に氾濫している。
【０００３】
しかしながら、昨今のように多種類かつ多機能な商品が多くなってくると、カタログ等を読むだけでは顧客の理解が困難になる傾向が強くなっており、第１に顧客が多くの中からどの商品が一番よいのかを選択し難くなっているのが現状である。
【０００４】
又、以上のようなカタログの持つ問題点を解決するために、セールス担当者が起用されており、各商品の特性を提案することによって顧客の要求に適切に答える役割を果たそうとしている。
【０００５】
しかるに、現状においては、セールス担当者が顧客との面談の席において口頭によって伝えるのが一般的であることから、自宅に帰った顧客が改めて商品を検討する際に至ると、第２にセールス担当者が説明していた商品提案や料金案内を全て覚えているのが不可能になっている。
【０００６】
以上のように、展示場や店頭で行われるセールス担当者の商品提案や料金案内は、大部分が口頭によっているために形として残る形態を採っていないのが現状であり、顧客がセールス担当者の説明していた商品提案や料金案内を記憶していないばかりでなく、第３に後日に至って再来店した際には、セールス担当者が変わっていることで商品に対する意見や判断が異なっていたりして、顧客とセールス担当者との間でクレームになることが多かった。
【０００７】
そこで、頒布したカタログと説明したセールス担当者との関係を明らかにして、セールス担当者とカタログによる販売商品の案内を同時に達成するための提案もなされている。
【０００８】
本提案（実願平９−１３６８号）では、図１２に見られるように広告等が印刷されているカタログ３０の一角に名刺３１を貼付すると共に、カタログ３０を名刺３１の大きさに折り畳む３２ことによって、名刺の大きさのカタログに形成している。これによると、セールス担当者は、自分の名刺を貼付したカタログを携帯しながら、顧客の目前ではカタログを拡げて説明できるもので、カタログの説明とセールス担当者との関係を明らかにすることができる。
【０００９】
この他の提案（実願平６−６３６５号）もなされているが、名刺大のフイルムベース、紙、ガラス板等の支持体に写真乳剤を塗布して、この塗布面に人、商品、作品、テンポ、営業所、イベント等の紹介情報を定着しているものであり、名刺サイズの情報伝達媒体を形成している。
【００１０】
しかるに、従来の提案は、いずれもカタログ等に名刺を貼付したものであるので、セールス担当者の商品提案・料金案内について責任が明確でなくレームになり易いという上述した第３の問題点の解決には貢献しているが、指摘した第１の個人が商品を購入するための決め手が判り難い点と第２のセールス担当者の説明を受けても時が経つと忘れてしまう点については、問題の解決が図られるものでない。
【００１１】
以上のように、カタログ、コンサルティングシート及び記録手段等を営業ツールとしている昨今に在っては、上記の各問題点第１〜３の全てを解決できるような営業ツールが未だに開発されておらず、営業効果の向上を図るのに無力感を醸し出していた。
【００１２】
【発明が解決しようとする課題】
本発明は、上記の現状に鑑みて上記問題点の解決のために提案するものであり、顧客が多くの商品の中から最適の商品を容易に選択すること、セールス担当者が説明した商品提案や料金案内を全て覚えられること及び顧客とセールス担当者との間にクレームを生じさせない台紙付き折畳み提案書の提供を目的にしている。
【００１３】
【課題を解決するための手段】
請求項１に記載の発明である台紙付き折畳み提案書は、表裏面として折曲げた台紙と台紙の表裏面いずれかに添付させる広報部と記入部とを配置する提案書から成り、折り重ねた台紙間に提案書を折畳みながら収納しており、顧客が多くの商品の中から最適の商品を容易に選択し、セールス担当者が説明して記録した商品提案や料金案内を全て覚えられると共に顧客とセールス担当者との間にクレームを生じさせることがない。
【００１４】
請求項２に記載の発明である台紙付き折畳み提案書は、請求項１に記載の台紙付き折畳み提案書において、提案書を台紙の一辺の寸法以下である寸法の奇数倍と台紙の相対する他辺の寸法以下である寸法の奇数倍で折り畳むことを特徴としており、上記機能に加えて、セールス担当者の台紙を開く動作と提案書を顧客の前に開放提示する動作とを円滑にする。
【００１５】
請求項３に記載の発明である台紙付き折畳み提案書は、請求項１又は２に記載の台紙付き折畳み提案書において、表裏面から成る台紙の内表面に記録手段を記載することを特徴としており、上記機能に加えて、顧客の反復実績を確認することが出来る。
【００１６】
請求項４に記載の発明である台紙付き折畳み提案書は、表裏面として分離した台紙と台紙の表裏面に対角する角部を添付して広報部と記入部とを配置する提案書から成り、重合わせた台紙間に提案書を折畳みながら収納しており、顧客が多くの商品の中から最適の商品を容易に選択し、セールス担当者が説明して記録した商品提案や料金案内を全て覚えられると共に顧客とセールス担当者との間にクレームを生じさせることがない。
【００１７】
請求項５に記載の発明である台紙付き折畳み提案書は、請求項４に記載の台紙付き折畳み提案書において、提案書を台紙の一辺の寸法以下である寸法の奇数倍と台紙の相対する他辺の寸法以下である寸法の偶数倍で折り畳むことを特徴としており、上記機能に加えて、セールス担当者の台紙を開く動作と提案書を顧客の前に開放提示する動作とを円滑にする。
【００１８】
請求項６に記載の発明である台紙付き折畳み提案書は、請求項項１乃至５のいずれかに記載の台紙付き折畳み提案書において、表裏面から成る台紙の外表面に少なくとも報告者名と連絡手段とを記載することを特徴としており、商品提案や料金案内を説明したセールス担当者の連絡先を明示することで顧客とセールス担当者との間にクレームを生じさせることを無くしている。
【００１９】
【発明の実施の形態】
本発明による第１の台紙付き折畳み提案書は、基本的に、表裏面として折曲げた台紙と台紙の表裏面いずれかに添付させる広報部と記入部とを配置する提案書から成っていて、折り重ねた台紙間に提案書を折畳みながら収納し、具体的に、提案書を台紙の一辺の寸法以下である寸法の奇数倍と台紙の相対する他辺の寸法以下である寸法の奇数倍で折畳むと共に、表裏面から成る台紙の外表面に少なくとも報告者名と連絡手段とを記載しながら台紙の内表面に記録手段を記載することを特徴としている。
さらに、必要な時には、セールス担当者が台紙を開きながら折畳んだ提案書を顧客の前に開放提示するが、本発明ではこの動作を極めて円滑にしている。
【００２０】
以下に、本発明による第１の台紙付き折畳み提案書の実施の形態を図面に基づいて詳細に説明する。
【００２１】
図１は、本発明の台紙付き折畳み提案書の実施の形態を示しており、正面図（ａ）と台紙の一端を部分的に開放状態にした斜視図（ｂ）及び裏面図（ｃ）である。
【００２２】
本実施の形態における台紙付き折畳み提案書１の台紙２は、名刺大の寸法を有する表裏面３、４を一体に構成すると共に、中央部５で折り返されており、後述する提案書６を台紙２の裏面４に添付させながら、表裏面３、４の内部に折り畳むことで名刺形態を形成するように構成されている。
【００２３】
台紙２の表面３には、その外面に名刺としての表記７が施されており、台紙の一端は、斜視図（ｂ）に示すように部分的に開放状態にあるが、折り畳んだ後の台紙付き折畳み提案書１は、１枚の名刺として保管できると同時に顧客に対して名刺と同様に使用することも出来る。
【００２４】
そして、台紙２の裏面４には、裏面図（ｃ）に見られるようにその外面に名刺としての表記７が施されると共に、内面には提案書６の１端部を添付させている。
【００２５】
本実施の形態では、台紙２を名刺型として構成しているが、台紙２の形態はこれに限定されるものでなく、図２に例示するように多様な形態を採用できるものである。
【００２６】
多様な形態例としては、図２（ａ）に示すような折畳み形態のカタログ類２−１、図２（ｂ）の健康保険証２−２及び図２（ｃ）に示す通常のパスポート２−３であっても、台紙２として形成できるものであり、それぞれの最終頁を台紙２の裏面４として機能させながら、これに提案書６を添付させると共に提案書６の折畳み形状を規制している。
【００２７】
しかして、一方の表面３における形態では、折畳み形態のカタログ類２−１の場合に表面３−１を蛇腹状に折り畳んでおり、図２（ｂ）の健康保険証２−２の場合は、表面３−２を内側に折畳み込んでおり、さらに、パスポート２−３のような形態の場合では、表面３−３を多重状態に綴じ込まれた状態に形成されている。
【００２８】
以上のように、本実施の形態では、各種台紙の最終頁を裏面４として此処に提案書６を添付させることを基本にしながら、台紙２の表面３を形成している他の部分については、それぞれの形態に合わせながら提案書６を裏面４との間に折畳むことで、本発明による台紙付き折畳み提案書を構成できるものである。
【００２９】
尚、本発明において添付と称する形態には、本実施の形態のように貼付することの他に、取外し可能に取付けることや差込むこと等のように台紙と一体に成っている状態の全てを含んでいるものであり、特定の形態に限定されるものでない。
【００３０】
図３〜５は、本実施の形態における台紙付き折畳み提案書の使い方について順を追って説明している工程図である。
【００３１】
図３は、セールス担当者が、台紙付き折畳み提案書１を取り出しながら顧客の前に拡げて、セールスもしくはコンサルティングを開始する段階を示している。
【００３２】
セールス担当者は、図示のように、片手８で台紙２の表面３を開きながら台紙付き折畳み提案書１を支えているが、この際における、もう一方の片手９は、台紙２に貼付されている提案書６の角部１１と相対していると共に、表面に現れるように位置付けられている角部１０を掴んでいる。
【００３３】
図４は、セールス担当者が、提案書６を拡げて行く段階を示している。
本段階でのセールス担当者は、提案書６の角部１０を掴んでいる片手９を矢印１２のように横方向に引き拡げるものであり、提案書６の幅方向には開示を完了している。
【００３４】
次いでの動作は、図５に示すように提案書６の角部１０を掴んでいる片手９を矢印１３のように縦方向に引き拡げるものであり、提案書６は、恰も想像線による矢印１４が示すような方向に引き拡げられている。
【００３５】
本実施の形態における提案書６の折畳みは、台紙２の長手方向における一辺の寸法（Ｌ）以下である寸法位置に最初の折り目１９を形成して、順次に奇数倍の折り目１９を形成すると共に、台紙２のこれに相対する他辺の寸法（Ｈ）以下である寸法位置に最初の折り目１９を形成して、順次に奇数倍の折り目１９を形成することで折り畳んでいる。
【００３６】
以上の折畳み条件は、提案書６の矢印１４方向への引き拡げを円滑にするものであり、この条件によって、提案書６は片手９で角部１０を掴みながら引き拡げることだけで容易に開示されるものである。
【００３７】
以上のように、これらの一連の動作によって提案書６は一枚ものと同様に開示されることになり、提案書６は、台紙２の裏面４の内面に一方の角部を添付させて名刺としての機能を確保しながら、顧客に対して商品等を充分に提示できる状態に構成されている。
【００３８】
図６は、本実施の形態における台紙と提案書の記載例を示している。
本実施の形態における台紙２には、表裏面３、４の外面に名刺としての表記７が施されているが、表面３の内面にはセールス担当者が同一の顧客に説明した日付等を記録する記録欄１５が記載されている。
【００３９】
一方の提案書６には、広報部としてセールス担当者が説明するための広告、売り込み、提案対策等の広報事項１６や顧客の要求を満たすための確認事項１７等が記載されている。又、これと関連させて顧客に約束した確認事項を記載するための空欄１８も、本発明における重要な項目欄として記入部として配置されており、提案書の一部を構成している。
【００４０】
これによって、セールス担当者は、初対面の顧客に対しても通常の名刺と同様に、本実施の形態による台紙付き折畳み提案書１を提示しながら、営業もしくはコンサルティング型営業をすることができる。
【００４１】
さらに、営業に際しては、顧客の要望・好みに関する情報や予算・環境等の条件に応じた対応をすることで営業すると共に、セールス担当者と顧客とが選出した商品に関しては、商品に関する提案内容を空欄１８に書き込むものであり、これによって、顧客に密着した親密度の高い営業を展開できると同時に、従来におけるカタログ営業とセールス担当者の起用において未解決であった以下の問題点を全て解消することが出来る。
【００４２】
▲１▼顧客が、多くの商品中でどれが一番よいか選択し難い。
▲２▼セールス担当者の商品提案や料金案内を覚えきれない。
▲３▼後日に商品に対する意見や判断が異なって、顧客との間にクレームが発生す
る。
【００４３】
次ぎに、本発明による第２の台紙付き折畳み提案書について説明する。
本発明による第２の台紙付き折畳み提案書は、基本的に、表裏面として分離した台紙と台紙の表裏面に対角する角部を貼付して広報部と記入部とを配置する提案書から成っていて、重合わせた台紙間に提案書を折畳みながら収納しており、表裏面から成る台紙の外表面に少なくとも報告者名と連絡手段とを記載すると共に、提案書を台紙の一辺の寸法以下である寸法の奇数倍と台紙の相対する他辺の寸法以下である寸法の偶数倍で折り畳んでいる。
【００４４】
さらに、必要な時には、セールス担当者が台紙を開きながら折畳んだ提案書を顧客の前に開放提示するが、本発明ではこの動作を極めて円滑にしている。
【００４５】
以下に、本発明による第２の台紙付き折畳み提案書の実施の形態を図面に基づいて詳細に説明する。
【００４６】
図７は、本発明の台紙付き折畳み提案書の実施の形態を示しており、正面図（ａ）と台紙の一端を部分的に開放状態にした斜視図（ｂ）及び裏面図（ｃ）である。
【００４７】
本実施の形態における台紙付き折畳み提案書２０の台紙２１は、名刺大の寸法を有する表裏面２２、２３を別体にして構成しており、提案書６を台紙２１の表裏面２２、２３に貼付させながら、表裏面２２、２３の内側に折り畳むことで名刺形態を形成するように構成されている。
【００４８】
台紙２１の表裏面２２、２３は、正面図（ａ）と裏面図（ｃ）とに見られるように、それぞれの外面に名刺としての表記７が施されており、折り畳んだ後の台紙付き折畳み提案書２０は、１枚の名刺として保管できると同時に顧客に対して名刺と同様に使用することも出来る。
【００４９】
図８〜１０は、本実施の形態における台紙付き折畳み提案書の使い方について順を追って説明している工程図である。
【００５０】
図８は、セールス担当者が、台紙付き折畳み提案書２０を取り出しながら顧客の前に拡げて、セールスもしくはコンサルティングを開始する段階を示している。
【００５１】
セールス担当者は、図示のように、片手８で台紙２１の裏面２３を支えながら、もう一方の片手９で台紙２１の表面２２を掴みながら、台紙付き折畳み提案書２０を開放しようとしており、矢印２４のように横方向に引き拡げている。
【００５２】
図９は、セールス担当者が、幅方向に開示を完了している提案書６をさらに拡げて行く段階を示している。
【００５３】
本段階でのセールス担当者は、片手８で台紙２１の裏面２３を支えると同時に片手９で台紙２１の表面２２を掴みながら、提案書６を矢印２５のように縦方向に引き拡げている。
【００５４】
次いでの動作は、図１０に示すように提案書６を完全に開放するものであって、台紙２１の裏面２３と表面２２とを掴んで提案書６が最大に拡大されるように引き拡げており、提案書６は、恰も想像線による矢印２６が示すような方向に引き拡げられている。
【００５５】
本実施の形態における提案書６の折畳みは、台紙２１の長手方向における一辺の寸法（Ｌ）以下である寸法位置に最初の折り目２７を形成して、順次に奇数倍の折り目２７を形成すると共に、台紙２１のこれに相対する他辺の寸法（Ｈ）以下である寸法位置に最初の折り目２７を形成して、順次に偶数倍の折り目２７を形成することで折り畳んでいる。
【００５６】
以上の折畳み条件は、提案書６の矢印２６方向への引き拡げを円滑にするものであり、この条件によって、提案書６は片手９で台紙２２を掴みながら引き拡げることだけで容易に開示されるものである。
【００５７】
本実施の形態においても、これらの一連の動作によって提案書６は一枚ものと同様に開示されることになり、提案書６は、裏面の角部に台紙２１の表裏面２２、２３を相対するように貼付させることで、表記７で名刺としての機能を表裏面２２、２３の表面で確保しながら、顧客に対して商品等を充分に提示できる状態に構成されている。
【００５８】
図１１は、本実施の形態における台紙と提案書の記載例を示している。
本実施の形態における台紙２１には、表裏面２２、２３の外面に名刺としての表記７が施されている。
【００５９】
一方の提案書６には、上記実施の形態と同様に中央部分に顧客に約束した確認事項を記載するための空欄１８を本発明における重要な項目欄である記入部として配置しており、空欄１８の左右にセールス担当者が説明するための広告、売り込み、提案対策等の広報事項１６や顧客の要求を満たすための確認事項１７が広報部として適宜に記載されている。
【００６０】
これによって、セールス担当者は、上記実施の形態と同様に初対面の顧客に対しても通常の名刺と同様に、本実施の形態による台紙付き折畳み提案書１を提示しながら、営業もしくはコンサルティング型営業をすることができる。
【００６１】
又、営業に際しての顧客の要望・好みに関する情報や予算・環境等の条件に応じた対応は、当然に行うことが出来るものであり、セールス担当者と顧客とが選出した商品に関しても、商品に関する提案内容を空欄１８に書き込めるので、顧客に密着した親密度の高い営業を展開しながら、上記実施の形態と同様に、従来の未解決であった問題点を全て解消することができる。
【００６２】
以上の実施の形態では、提案書としてカタログ類の掲載を主体にして説明してきたが、本発明による台紙付き折畳み提案書は、これらの実施の形態に限定されるものでなく、上述したように台紙の名刺以外の形態や提案書の他の折り畳み形態において各種の選択が可能である。
【００６３】
又、適用業界としては、以下の各種営業の場面において採用が可能である。
・住宅・マンションの展示場。
・リフォーム会社のセールス担当者。
・自動車・中古自動車のショールーム。
・薬局の薬剤師エステ・化粧品等の美容師。
・ＰＣなどの電気量販店。
・保険・銀行などの金融商品。
・コンサルティング業界。
・各種カウンセリング。
【００６４】
さらに、以下のような実施の形態にも展開可能である。
【００６５】
Ａ）診察券
▲１▼提案書の広報欄に豆知識情報等を記載しておき、提案書の記載欄に内科、歯
科、外科、接骨院等の顧客の病状に応じた適宜の注意事項を書き添えて手渡
す。
▲２▼台紙の内面に、予約欄を掲載して置き、次回の予約日を記入して忘れないよ
うにする。
【００６６】
Ｂ）会員カード
▲１▼提案書の広報欄に美容室、エステ等の広告事項もしくはスタッフの紹介等を
掲載して入会勧誘を活性化すると同時に、提案書の記載欄に顧客の要望や容
姿に応じたアドバイスや選択コース等を書き添えて手渡す。
▲２▼提案書の記載欄を大きくしてアンケート等と併用する。
▲３▼台紙の内面に、スタンプ欄やカード欄を掲載して顧客の関心を刺激する。
【００６７】
Ｃ）特殊名刺
▲１▼提案書の広報欄にコンサルティング会社、住宅、リフォーム、自動車、不動
産、保険等の各企業向けに、業界や各企業の情報に対応させて、商品提案の
情報を掲載して、コンサルティング型営業の補助具にする。
▲２▼提案書の広報欄に顧客の年齢層や趣味に対応できるコンサル担当者のプロフ
ィールを掲載可能にする。
▲３▼台紙の内面に、日付欄を設定し、名刺を渡した日付を記入したり、シールや
スタンプなどの小道具を用いて顧客の情報に応じる。
【００６８】
以上のように、本発明による台紙付き折畳み提案書は、実施の形態で説明したように構成されているので、従来の問題点を解消して、顧客が多くの商品の中から最適の商品を容易に選択し、セールス担当者が説明して記録した商品提案や料金案内を全て覚えられると共に顧客とセールス担当者との間にクレームが生じることを無くしている。
【００６９】
以上、本発明による台紙付き折畳み提案書を、上記各実施の形態に基づいて詳細に説明してきたが、本発明は、これらの実施の形態に何ら限定されるものでなく、適用分野、対応形態台紙や提案書の掲載内容等の具体的形態に関して、発明の主旨を逸脱しない範囲において各種の変更が可能であることは当然のことである。
【００７０】
【発明の効果】
請求項１に記載の台紙付き折畳み提案書は、表裏面として折曲げた台紙と台紙の表裏面いずれかに添付させる広報部と記入部とを配置する提案書から成り、折り重ねた台紙間に提案書を折畳みながら収納しているので、顧客が多くの商品の中から最適の商品を容易に選択し、セールス担当者が説明して記録した商品提案や料金案内を全て覚えられると共に顧客とセールス担当者との間にクレームを生じさせないと共に、以下の具体的な効果を奏している。
【００７１】
▲１▼顧客に対してより的確で後に残る商品提案ができる。
▲２▼セールス担当者に責任感が増強され、顧客の信頼が向上する。
▲３▼顧客との間のクレームが防止される。
▲４▼セールス担当者の商品知識・提案力が増強される。
【００７２】
請求項２に記載の台紙付き折畳み提案書は、請求項１に記載の台紙付き折畳み提案書において、提案書を台紙の一辺の寸法以下である寸法の奇数倍と台紙の相対する他辺の寸法以下である寸法の奇数倍で折り畳むことを特徴としているので、上記効果に加えて、セールス担当者の台紙を開く動作と提案書を顧客の前に開放提示する動作とを円滑にする効果を奏している。
【００７３】
請求項３に記載の台紙付き折畳み提案書は、請求項１又は２に記載の台紙付き折畳み提案書において、表裏面から成る台紙の内表面に記録手段を記載することを特徴としているので、上記効果に加えて、顧客の反復実績を確認出来る効果を奏している。
【００７４】
請求項４に記載の台紙付き折畳み提案書は、表裏面として分離した台紙と台紙の表裏面に対角する角部を貼付して広報部と記入部とを配置する提案書から成り、重合わせた台紙間に提案書を折畳みながら収納しているので、顧客が多くの商品の中から最適の商品を容易に選択し、セールス担当者が説明して記録した商品提案や料金案内を全て覚えられると共に顧客とセールス担当者との間にクレームを生じさせない効果を奏している。
【００７５】
請求項５に記載の台紙付き折畳み提案書は、請求項４に記載の台紙付き折畳み提案書において、提案書を台紙の一辺の寸法以下である寸法の奇数倍と台紙の相対する他辺の寸法以下である寸法の偶数倍で折り畳むことを特徴としているので、上記効果に加えて、セールス担当者の台紙を開く動作と提案書を顧客の前に開放提示する動作とを円滑にする効果を奏している。
【００７６】
請求項６に記載の台紙付き折畳み提案書は、請求項項１乃至５のいずれかに記載の台紙付き折畳み提案書において、表裏面から成る台紙の外表面に少なくとも報告者名と連絡手段とを記載することを特徴としているので、商品提案や料金案内を説明したセールス担当者の連絡先を明示することで顧客とセールス担当者との間にクレームを生じさせることを無くする効果を奏している。
【図面の簡単な説明】
【　図１】本発明による第１の台紙付き折畳み提案書における実施の形態図
【　図２】本発明による第１の台紙付き折畳み提案書の台紙における他の実施の形態図
【　図３】本発明による第１の台紙付き折畳み提案書の拡張段階図
【　図４】本発明による第１の台紙付き折畳み提案書の拡張次段階図
【　図５】本発明による第１の台紙付き折畳み提案書の拡張終了図
【　図６】本発明による台紙付き折畳み提案書の掲載事項図
【　図７】本発明による第２の台紙付き折畳み提案書における実施の形態図
【　図８】本発明による第２の台紙付き折畳み提案書の拡張段階図
【　図９】本発明による第２の台紙付き折畳み提案書の拡張次段階図
【　図１０】本発明による第２の台紙付き折畳み提案書の拡張終了図
【　図１１】本発明による第２の台紙付き折畳み提案書の掲載事項図
【　図１２】従来の名刺貼付カタログ図
【符号の説明】
１、２０　台紙付き折畳み提案書、
２、２−１、２−２、２−３、２１　台紙、
２、３−１、３−２、３−３、２２　表面、　４、２３　裏面、
５　中央部、　６　提案書、　７　表記、　８、９　片手、
１０、１１　角部、　１２〜１４、２４〜２６　矢印、
１５　記録欄、　１６　広報事項、　１７　確認事項、　１８　空欄、
１９、２７　折り目、　３０　カタログ、　３１　名刺、
３２　折り畳み、
【図１】
2004058474.tif 000003
【図２】
2004058474.tif 000004
【図３】
2004058474.tif 000005
【図４】
2004058474.tif 000006
【図５】
2004058474.tif 000007
【図６】
2004058474.tif 000008
【図７】
2004058474.tif 000009
【図８】
2004058474.tif 000010
【図９】
2004058474.tif 000011
【図１０】
2004058474.tif 000012
【図１１】
2004058474.tif 000013
【図１２】
2004058474.tif 000014